(57)【特許請求の範囲】
【請求項１】
接触領域（１６）と保持領域（１８）とを有する接触要素（１２）を備える、接続端子装置（３４）用のジャンパであって、
絶縁材料で作製された保持要素（１４）が前記保持領域（１８）に配置され、前記保持領域（１８）が、前記保持要素（１４）の前記絶縁材料で貫入されるパーフォレーション（２２）を有し、前記保持要素（１４）が前記ジャンパ（１０）を固定するための固定要素（３０）を有し、前記固定要素（３０）が、前記保持要素（１４）の外表面（４２）上に凸状部の形で設けられ、
前記凸状部は、前記保持要素（１４）の長手方向の表面全体にわたって延び、
前記接触領域（１６）は、電気的接続を生じるように２つ以上の接続端子を横切って延びる均一な平坦接触面を有するレールとして構成される、
ジャンパ。
【請求項２】
接触領域（１６）と保持領域（１８）とを有する接触要素（１２）を備える、接続端子装置（３４）用のジャンパであって、
絶縁材料で作製された保持要素（１４）が前記保持領域（１８）に配置され、前記保持領域（１８）が、前記保持要素（１４）の前記絶縁材料で貫入されるパーフォレーション（２２）を有し、前記保持要素（１４）が前記ジャンパ（１０）を固定するための固定要素（３０）を有し、前記固定要素（３０）が、前記保持要素（１４）の外表面（４２）上に凸状部の形で設けられ、
前記保持要素（１４）は、射出形成された保持要素であって、
前記絶縁材料は、前記保持領域（１８）の周囲に密着し、
前記凸状部は、前記保持要素（１４）の絶縁材料で形成され、
前記接触領域（１６）は、電気的接続を生じるように２つ以上の接続端子を横切って延びる均一な平坦接触面を有するレールとして構成される、
る、ジャンパ。
【請求項３】
前記保持要素（１４）は工具用の係合領域（２４）を有し、
前記工具用の係合領域（２４）は、前記保持要素（１４）の長手方向の表面に沿って溝状開口部の形で作られている、請求項１または２に記載のジャンパ。
【請求項４】
ハウジング（３２）を備える接続端子装置であって、ジャンパ挿入開口部（２６）が請求項１から３の一項に記載のジャンパ（１０）を前記ハウジング（３２）内に受け入れるために設けられ、前記ジャンパ（１０）を前記ジャンパ挿入開口部（２６）内に固締するためのばね要素（３８）が、前記ジャンパ挿入開口部（２６）の領域で前記ハウジング（３２）上に設けられ、前記ばね要素（３８）は開口部（３６）を有し、前記開口部（３６）内で前記ジャンパ（１０）の前記保持要素（１４）の前記固定要素（３０）は係合することができる、接続端子装置。
【発明の詳細な説明】
【技術分野】
【０００１】
本発明は、接続端子装置用のジャンパに関する。
【背景技術】
【０００２】
ジャンパは、例えば、接続端子装置内に配置された複数の接続端子を電気的に接続するために設けることができる。このため、接続端子装置は通常、１つまたは複数のジャンパ挿入開口部を有するハウジングを備え、ジャンパは、例えば２つ以上の端子の母線を互いに接続して接触させるために、ジャンパ挿入開口部内に導入されることができる。
【０００３】
この種のジャンパは接続端子装置において取外し可能であることが好ましく、ジャンパは、導電性材料、特に金属で作られた接触要素で作製され、接触要素は、接触するための接触領域と絶縁材料すなわち非導電性材料で作製された保持要素が上に配置される保持領域とを有し、それによりジャンパは、工具を使用してジャンパ挿入開口部内に導入されたり、ジャンパ挿入開口部から除去されたりすることができる。保持要素は通常、接触要素の保持領域上に固締されるが、保持要素は接触要素から抜け出て、接触要素が単独でジャンパ挿入開口部内にとどまることがあり、その場合、接触要素をジャンパ挿入開口部から再度除去するのは非常に困難である。
【発明の概要】
【発明が解決しようとする課題】
【０００４】
したがって、本発明の課題は、操作および機能性の向上を特徴とするジャンパを提供することである。
【課題を解決するための手段】
【０００５】
本発明による課題の解決は請求項１の特徴によって達成される。本発明の有利な実施形態は従属請求項に示されている。
【０００６】
接続端子装置用の本発明のジャンパは、接触領域および保持領域を有する接触要素を備え、絶縁材料で作製された保持要素は保持領域に配置され、本発明によれば、保持領域は、保持要素の絶縁材料で貫入されるパーフォレーションを有する。
【０００７】
このようにして、保持要素を接触要素に特に確実かつ安定的な固締を実現することが可能である。パーフォレーションは、好ましくは保持領域の全長に及び、好ましくは互いに並んで配置された複数の貫通孔によって形成される。保持要素は、好ましくは接触要素に接続される領域内にＵ字形に形成されていて、保持要素が接触要素を保持領域で取り囲むようにする。保持要素を接触要素に固締するときに、保持要素の絶縁材料は流体状態に変えられ、それによって絶縁材料はパーフォレーションの孔を通過し、絶縁材料が冷めるときにパーフォレーションの中で固まることができ、それによって絶縁材料は接触要素の保持領域の外表面のまわりとパーフォレーション内に配置され、それによって絶縁材料の堅固な材料接続部が保持領域の２つの外表面上の絶縁材料間に実現される。このようにして、保持要素が接触要素から滑り落ちるという望まない事態を安全に防止することができる。
【０００８】
本発明の別の有利な実施形態によれば、保持領域は、保持領域の周囲に射出成形された保持要素の絶縁材料を有する。この場合の絶縁材料は好ましくはプラスチック材料で作製されるが、保持要素は射出成形法を用いて作製され、接触要素の保持領域の周囲に成形または注入することができる。これにより保持要素の接触要素上への簡単な配置が可能になり、特に絶縁材料は、保持領域のパーフォレーション内に特に注入によって容易に導入されることができる。
【０００９】
さらに、保持要素は、ジャンパを特に接続端子装置に固定するための固定要素を有することが好ましい。固定要素を用いると、ジャンパがジャンパ挿入開口部から抜け出るという望まない事態を防止することができる。このため、固定要素は、好ましくは保持要素の外表面上に配置または成形され、したがって、固定要素は、固定のためにジャンパ挿入開口部内で接続端子装置のハウジングと係合した状態にされることができる。このため、ジャンパ挿入開口部内にジャンパを特に確実かつ均一に固定するのを実現するために、互いに鏡像である２つの固定要素が設けられることが好ましい。
【００１０】
固定要素は、保持要素の外表面上に凸状部の形で設けられることが好ましい。凸状部は、例えば、固定のために接続端子装置のハウジング上のジャンパ挿入開口部の内側に設けられた溝状開口部に係合することができる。凸状部は、保持要素の長手方向の表面全体にわたって延びることが好ましい。凸状部は保持要素の絶縁材料で有利に形成されることができ、したがって、凸状部の形をとる固定要素は保持要素に単一の部片として接合することができ、固定要素は保持要素とともに成形されることができる。
【００１１】
さらに、保持要素は、好ましくは工具用の係合領域を有することができる。このようにして、ジャンパは、ねじ回しなどの工具を用いてジャンパ挿入開口部から容易に除去されることができる。係合領域は、保持要素内の接触要素の受け入れ領域の向かい側に、保持要素上に設けられることが好ましい。係合領域は、保持要素の長手方向の表面に沿って溝状開口部の形で作られ得ることが好ましい。
【００１２】
別の好ましい実施形態によれば、接触要素はレールとして作られる。レール構成のおかげで、接触領域として均一な平坦接触面が可能となり、均一な平坦接触面は、電気的接続を生じるように２つ以上の接続端子を横切って延びることができる。レール構成のおかげで、ジャンパ、特にジャンパの接触要素をジャンパ挿入開口部内に導入するとき、およびジャンパをジャンパ挿入開口部から除去するときに、特に容易な取扱いが可能であり、このことは、接触要素として複数の接触フィンガを有するジャンパとは特に区別され、というのは、接触フィンガ有するこの種の構成は、特にジャンパを挿入するときに、容易に傾きそれによって滞ることがあるからである。それにもかかわらず、１つまたは複数の接触フィンガを有する接触要素を作ることも可能である。
【００１３】
本発明はさらに、ハウジングを有する接続端子装置にも関し、ハウジング内にはジャンパ挿入開口部が上記のように構成され修正されたジャンパを受け入れるために設けられる。
【００１４】
好ましくは、ばね要素が、ジャンパをジャンパ挿入開口部内に固締するために、ジャンパ挿入開口部の領域でハウジング上に設けられる。ばね要素は、ジャンパ挿入開口部の挿入領域内でハウジング上に配置されたばねアームとして構成されることが好ましい。ばね要素はハウジングの一部であることが好ましい。ばね要素を用いることにより、ジャンパが挿入されてジャンパ挿入開口部の挿入開口部を広げたときにばね要素が長くなり、ばね要素は挿入されたジャンパに張力またはばね力を加えることができ、それによってジャンパはジャンパ挿入開口部内に固締され得るので、ジャンパ挿入開口部内でジャンパをわずかに締め付けることがすでに実現可能となっている。
【００１５】
さらに、ばね要素は有利には開口部を有し、開口部内でジャンパの保持要素の固定要素が係合することができる。ジャンパがジャンパ挿入開口部内に導入されたときに、保持要素の固定要素は、ジャンパ挿入開口部内でのジャンパの確実な位置決めを確保するように開口部に引っかかることができることが好ましい。開口部は、固定要素の形状に適合する溝の形状で作られることができる。
【００１６】
本発明について、好ましい一実施形態を用いて付属の図面を参照しながら以下でより詳細に説明する。
【図面の簡単な説明】
【００１７】
【図１】本発明によるジャンパの概略図である。
【図２】ジャンパ挿入開口部内に導入された、図１に示されているジャンパの概略図である。
【図３】ジャンパが図１に従って中に配置された状態の接続端子装置の概略図である。
【発明を実施するための形態】
【００１８】
図１は、金属、好ましくは銅で作製された接触要素１２と非導電性絶縁材料で作製された保持要素１４とを備える、本発明によるジャンパ１０の概略図を示し、接触要素１２は、ここに示されている図では保持要素１４がまだ組み付けられていない。保持要素１４はＵ字形開口部２０を有し、Ｕ字形開口部２０は、接触要素１２に保持要素１４が組み付けられた状態で接触要素１２を少なくとも部分的に取り囲む。接触要素１２は、電気的に接続するための接触領域１６と、保持要素１４がその上に配置され得る保持領域１８とを有する。保持要素１８は、好ましくは互いから等距離をおいて配置された複数の隣接する貫通孔の形をとるパーフォレーション２２を有する。接触要素１２を保持要素１４に接合するのは、好ましくは保持要素１４の絶縁材料を流体状態にすることによって行われ、それによって絶縁材料はパーフォレーションの孔を通過し、絶縁材料が冷めたときにパーフォレーション２２内で固まることができ、それによって絶縁材料は接触要素１２の保持領域１８の外表面のまわりとパーフォレーション２２内に配置され、それによって絶縁材料の堅固で密接な接続が絶縁材料と保持領域１８の２つの外表面との間に実現される。これは、例えば、保持要素１４の製造中に接触要素１２の保持領域１８の周囲に保持要素１４を成形することによって行うことができ、その後、射出成形中の流体絶縁材料がパーフォレーション２２に入り込みパーフォレーション２２を埋めることができる。
【００１９】
さらに、ここに示されている保持要素１４は、図２および図３に示されているように、長方形の溝の形をした係合領域２４を有し、係合領域２４では、ジャンパ挿入開口部２６からジャンパ１０を容易に除去するために工具が係合することができる。ここに示されている実施形態では、保持要素１４は２つの係合領域２４を有し、２つの係合領域２４は互いに鏡像であり、保持要素１４の外表面４２上に設けられる。
【００２０】
ここに示されている実施形態における接触要素１２は、図３に示されているように、細長いレールとして構成され、この細長いレールにより、接触要素１２は複数の隣接する接続端子２８を電気的に相互に接続できる。
【００２１】
図２は本発明によるジャンパ１０を組立てた状態で示している。すなわち、保持要素１４は接触要素１２上に成形されていて、ジャンパ１０は、電気的接続部を生じるようにジャンパ挿入開口部２６内に導入されている。２つの鏡像固定要素３０は保持要素１４の外表面４２上に設けられており、この実施形態では細長い凸状部として構成され、保持要素１４に単一の部片として接合されている。固定要素３０はジャンパ１０をジャンパ挿入開口部２６内に固定するように機能し、固定要素３０は、ジャンパ挿入開口部２６、好ましくは溝状開口部の領域で、例えば接続端子装置３４のハウジング３２上に形成された開口部３６に係合する、または、引っかかることができる。開口部３６のうちの１つは、好ましくはばねアームとして作られたばね要素３８上に設けられ、ばね要素３８はハウジング３２の一部であることが好ましい。ばね要素３８のおかげで、ばね要素３８が、ジャンパ１０の外表面２８、特に保持要素１４の外表面４２を圧迫するので、挿入されたジャンパ１０にわずかな締付けがすでに与えられていることが可能となる。
【００２２】
図３は接続端子装置３４を示し、接続端子装置３４には、複数の接続端子２８を有する複数の円盤状モジュール４０が、ここには示されていないキャリアレール上に一緒に置かれる。図３は、接続端子装置３４のジャンパ挿入開口部２６内に配置され、ここに示されているサンプル実施形態では順に配置された異なるモジュール４０の３つの接続端子２８を電気的に相互接続しているジャンパ１０を示す。
【符号の説明】
【００２３】
１０  ジャンパ
１２  接触要素
１４  保持要素
１６  接触領域
１８  保持領域
２０  Ｕ字形開口部
２２  パーフォレーション
２４  係合領域
２６  ジャンパ挿入開口部
２８  接続端子
３０  固定要素
３２  ハウジング
３４  接続端子装置
３６  開口部
３８  ばね要素
４０  モジュール
４２  外表面
【図１】
0005642204.tif 000002
【図２】
0005642204.tif 000003
【図３】
0005642204.tif 000004